(57)【要約】【課題】トイレや浴室の外に置いた車椅子から便器や浴槽との間の座位による移乗を可能にする。隠蔽性が確保でき、移乗に介護が必要な場合でも介護者の負担が小さく、かつ健常者が同一のトイレや浴室を支障なく使用できるようにする。【解決手段】トイレや浴室の壁面２に沿って設置され、座板７を壁面２に添設した状態で折り畳むことが可能な、座位で入口開口を通って室の外から内へと移動できる旋回移動台１０を提供する。トイレないし浴室の壁面２に座板７及び当該座板を支持するステイ５や脚８、９が添設された状態に折畳まれ、この折畳み状態で座板が当該トイレないし浴室の壁面側に位置し、座板７を展開したときに、当該座板が入口開口を越えて移動する。【選択図】図３
2010088622.tif 000002
【特許請求の範囲】
【請求項１】
入口開口(4)の一方の縦縁(41)の内側に設定した旋回中心軸(a)回りに旋回可能に設置された座板(7)を備え、当該座板が前記縦縁に隣接する壁面(2)に添設された状態に折畳まれ、この折畳み状態で前記座板が前記入口開口から前記壁面側に退避した位置となり、前記座板を水平に展開して前記入口開口側に旋回したときに当該座板の少なくとも前記入口開口側の部分が当該入口開口の外に進出する、トイレないし浴室の旋回移動台。
【請求項２】
前記座板(7)が、前記旋回中心軸(a)回りに前記壁面(2)側に旋回したときに当該壁面に添設状態となる旋回バー(11)回りに回動して折畳まれる、請求項１記載の旋回移動台。
【請求項３】
前記座板(7)が、前記旋回中心軸(a)回りに前記壁面(2)側に旋回したときに当該壁面と平行になる外縁支持軸(19)回りに回動しかつ当該外縁支持軸が当該壁面側に移動して折畳まれる、請求項１記載の旋回移動台。
【請求項４】
前記座板(7)が、前記旋回中心軸(a)から軸直角方向に伸びる旋回バー(11)回りに回動しかつ当該旋回バー及び前記旋回中心軸(a)と直交する直交ピン(31)回りに上方に回動して折畳まれる、請求項１記載の旋回移動台。
【請求項５】
前記旋回中心軸(a)回りに旋回可能かつ前記壁面(2)に添設された状態に折畳まれる座板支持枠(6)を備え、前記座板(7)が、この座板支持枠に当該座板の中央部においてその座面に垂直な中心ピン(43)まわりに回動可能に装着されている、請求項１、２、３又は４記載の旋回移動台。
【発明の詳細な説明】
【技術分野】
【０００１】
この発明は、車椅子から座位でトイレの便座や浴室用椅子に移動できるようにした旋回移動台に関するものである。
【背景技術】
【０００２】
下肢の障害や運動神経系の障害のために、あるいは加齢による筋力の低下によって歩行が困難になった者は車椅子を使用する。車椅子使用者は、日常生活において、ベッドと車椅子間、便器と車椅子間及び浴槽と車椅子間の移乗を必要とする。歩行が困難であっても、起立し旋回し静かに着座することができる者は、手すりなどを適切に設けることによって、これらの間での移乗を比較的円滑に行うことができる。
【０００３】
しかし、立上がりや静かに着座する動作を行うことも困難であるときは、座位のままこれらの間の移乗を行うことが必要になる。ベッドと車椅子の移乗においては、座位移乗の手段としてスライディングボードが使用されている。便器との間の移動は、便器の両側に折畳み式の手すりを設けることにより、車椅子を便器に接近させた状態で座位移乗するようにしている。また、浴槽への移動は、車椅子から浴槽用の椅子に移乗して介護者が浴槽内へ移動させるのが一般的である。
【０００４】
歩行が困難な者であっても、自主的な日常生活を送るためには、これらの移乗をできるだけ自分一人で行えるようにすることが必要である。また、たとえ介護者の手を借りるにしても、介護者の負担をできるだけ軽減することが必要である。特に排泄のための便器への移乗については、できるだけ自分一人で行いたいという感情や排泄行為を人に見られたくないという感情が強く働く。
【０００５】
上述した手段で車椅子と便座との間の座位移乗を可能にするためには、車椅子を便器に隣接する位置まで接近させることが必要であり、便器の回りに広い空間が必要である。そのため、一般の家庭ではこのような移乗手段を採ることができない。そこで一般の家庭では、立位による車椅子から便器への移乗が困難になると、ベッドの近くにポータブル式の便器を置いて、そこで排泄行為を行わざるを得ないのが実情である。
【発明の開示】
【発明が解決しようとする課題】
【０００６】
しかし、ポータブル式の便器は、使用時にトイレのような隠蔽性が保障されないこと、居住空間に排泄物の臭いが漏れること、介護者がポータブルトイレ内の排泄物の廃棄を行わなければならないことなどの問題があって、ポータブル式の便器の使用には、特に精神的な苦痛が伴いやすく、生活の品質を大きく低下させる要因となりやすい。
【０００７】
また、立位を保持できない車椅子使用者が座位で車椅子から浴槽や浴室用椅子などに移乗することは困難である。
【０００８】
そこでこの発明は、狭い一般家庭のトイレや浴室に設置することにより、車椅子とトイレ内の便器や浴室内の浴槽ないし浴室用椅子との間の座位による移乗を可能にし、かつ排泄時や入浴時の隠蔽性が確保でき、移乗に介護が必要な場合でも介護者の負担が小さく、かつ車椅子使用者と健常者とが同一のトイレや浴室を支障なく使用することができる旋回移動台を提供することを課題としている。
【課題を解決するための手段】
【０００９】
上記課題を解決したこの出願の発明に係る旋回移動台は、トイレ、手洗い室、浴室などの入口開口４の一方の縦縁４１の内側に鉛直方向に設定した旋回中心軸ａ回りに旋回可能に設置された座板７を備えている。座板７は、旋回中心軸ａから軸直角方向に伸びる旋回バー１１ないしこれと平行な外縁支持軸１９回りに回動することにより、縦縁４１に隣接する壁面２に添設された状態に折畳まれる。この折畳み状態では、座板７全体が入口開口４から壁面２側に退避した位置となる。座板７を旋回バー１１回りに揺動して水平位置に展開し、旋回バー１１を入口開口４側に旋回したとき、当該座板７の少なくとも入口開口４側の部分が入口開口４の外に進出する。
【００１０】
車椅子と旋回移動台１０との間の移乗は、入口開口４の外に進出した座板７との間で行う。座板７に移乗した後、座板７を旋回中心軸ａ回りに室内へと旋回すれば、座板７は入口開口４を通って室内へと移動するから、便座２０や浴槽ないし浴室用椅子に移乗する。
【００１１】
入口開口４と室内の移乗先（便座や浴室用椅子など）２０との距離の差は、座板７の旋回中心軸ａ回りの旋回量により吸収できる。座板７がドア３と干渉しない位置に旋回したとき、ドア３を閉めることができる。移乗先２０と入口開口４との距離が近い場合には、移乗先２０に移乗してからドア３を閉める。座板７は、旋回途中のどの位置ででも立設状態にでき、立設状態とすることでドア３との干渉を回避できる。
【００１２】
座板７の折畳み構造は、種々の構造が可能である。一般的な構造として、旋回中心軸ａから軸直角方向に伸びる旋回バー１１や旋回枠１２の横棒に座板７の後縁（室内へと旋回するときに前方となる縁）側又は前縁（入口開口から外へと旋回するときの前方となる縁）側を上方に揺動自在に枢着し、水平及び垂直位置を保持するストッパや脚８、９を設ける。後縁側を枢着する（前縁側を持上げて折畳む）構造が、入口開口４からの座板７の突出量を大きくできる点でより優れている。
【００１３】
座板７は、その中心回りに回転する構造とすることができる。これにより、座板７上で向きを変えることが容易になる。座板７の旋回位置や回転位置を固定するロック装置を必要に応じて設ける。
【発明の効果】
【００１４】
この発明の旋回移動台１０は、折り畳んだときに座板７及びこれを支持する旋回バー１１、ステイ５、脚８、９などの旋回移動台１０を構成する総ての部材が当該旋回移動台を設置したトイレや浴室の壁面２に添設された状態となり、かつトイレや浴室の入口開口４から壁面２側へと退避する。一方、座板７を展開して入口開口４側に旋回したときは、座板７全体ないし少なくとも座板７の入口開口４側の部分が、トイレや浴室の入口開口４の外へと進出する。旋回移動台１０と車椅子間での移乗は、この進出した部分で行うことができ、従って車椅子をトイレや浴室内に乗り入れることなく移乗できる。旋回移動台１０に移乗すれば、その座板７の旋回により、便器や浴室内の所望の位置へ座位を保持したまま移動して行くことができる。
【００１５】
この発明の旋回移動台１０は、一般家庭の狭いトイレにも簡単に設置することができ、旋回途中又は便座２０や浴室内の浴槽や浴室用椅子に移動した後、入口開口４を閉鎖することができ、遮蔽性を確保できる。旋回移動台１０を折り畳むと壁面に添設した状態となるので、健常者がトイレや浴室を使用するときの邪魔にならない。
【発明を実施するための最良の形態】
【００１６】
以下、図面を参照して、この発明の実施形態を説明する。図１〜３は、この発明の旋回移動台をトイレに設置した第１実施例を示した図で、図１は座板の展開（座れるようにした）状態を、図２は折畳み状態を示した斜視図である。図には、トイレの床面１と一方の（旋回移動台を設置した側の）壁面２を実線で示し、天井面と対向する壁面を想像線で示してある。３はドアであり、４がトイレの入口開口となる。
【００１７】
入口開口４の一方の縦縁４１の内側にパイプ材からなる支持柱４５が突っ張り構造で立設されている。支持柱４５には、ターンバックル（図示されていない）が設けられ、このターンバックルのねじ作用により、支持柱４５は、その上下端を床面１と天井面に押し付けて、固定されている。支持柱４５の両端には、壁面を保護すると共に床面１及び天井面との摩擦固定力を増強する当板４８が設けられている。
【００１８】
支持柱４５には、パイプ材からなる中心柱１３が回動自在に挿通され、当該中心柱と旋回柱１４を長手両辺とし、下辺１５の先端側を突出させた旋回枠１２が装着されている。下辺１５の先端には、当該下辺の軸回りに自由回転して床面１上を転動する車輪２３が装着されている。旋回柱１４の展開したときの座板７の高さとなる位置に、ストッパ２２が固定され、その上方に昇降体１６が旋回柱１４に昇降自在に挿通されている。昇降体１６には、水平な後縁支持ピン１７が固定され、この後縁支持ピン１７に座板支持枠６の後端が上下揺動自在に連結されている。
【００１９】
旋回柱１４の下端部には、下辺１５と平行な支点ピン１８が植設され、ステイ５がその下端をこの支点ピン１８で枢支されて旋回枠１２の枠面と直交する方向に揺動自在に設けられている。ステイ５の上端には、水平な外縁支持ピン１９が固定され、この外縁支持ピン１９に座板支持枠６の前端が上下揺動自在に連結されている。座板７は、座板支持枠６に固定して設けられている。
【００２０】
図１の座板の展開状態では、ステイ５が前方（壁面２から離隔する方向）に揺動し、昇降体１６がストッパ２２に当接する位置まで下降し、座板７がストッパ２２とステイ５で水平に支持された状態となる。この展開状態で座板７を支持柱４５回りに入口開口４側に旋回することにより、座板７がトイレの入口開口４の外側に進出する。壁面２が入口開口４と直交する方向であるときは、座板７の旋回角は略９０度であり、壁面２が入口開口４と同一の面内にあるときは、座板７の旋回角は略１８０度である。
【００２１】
座板の折畳み状態では、旋回枠１２が支持柱４５回りに壁面２に添設される位置まで旋回し、ステイ５が後方（壁面２側）に揺動し、昇降体１６が上昇して、座板７がその座面を室内に向けて壁面２に添設された状態となる。座板７は、旋回位置のどの位置においても立設状態とすることができる。
【００２２】
車椅子使用者がトイレを使用するときは、車椅子でトイレの入口近くまで移動し、トイレのドア３を開け、入口開口４に隣接する壁面２に折畳まれている座板７を展開すると共に支持柱４５回りに入口開口４側に旋回する。この状態で座板７が入口開口４の外に進出するから、車椅子使用者は、車椅子から旋回移動台の座板７に移乗し、座板７を支持柱４５回りに壁側に旋回して、座板７を便座２０に接近させて、便座２０へと移乗する。
【００２３】
乗り捨てた車椅子がドア３の閉鎖時に干渉する虞があるときは、座板７に移乗した後、手で干渉しない位置に車椅子を押し動かす。座板７が入口開口４の内側に移動した以降の任意の時点で、ドア３を閉めれば、トイレの遮蔽性が確保される。退出するときは、逆の動作で旋回移動台を経て車椅子に移乗し、旋回移動台１０を折り畳んでトイレのドア３を閉める。
【００２４】
図４、５は第２実施例を示した図である。支持柱４５に挿通した中空の中心柱１３の上端の座面高さの位置に、中心柱１３の軸心から壁側に変位して、旋回バー１１が固定され、この旋回バー１１回りに９０度上方に揺動可能に、座板７の後縁が枢着されている。この第２実施例の座板７は、旋回バー１１回りに９０度上方へ揺動し、旋回バー１１を壁面２に添設される位置に旋回することによって折り畳まれ、旋回バー１１回りに下方に揺動して水平姿勢とし、旋回バー１１を入口開口４側に旋回することによって入口開口４の外へ進出する。
【００２５】
この第２実施例では、座板７に折畳み脚８、９を設けている。図の例では、旋回バー１１の先端に上端を固定して、後脚９が設けられている。また、座板７の外側（反後縁側）裏面に、旋回バー１１と平行な脚支持軸２５が軸受２６で回動自在に装架され、この脚支持軸２５に上端を固定して、２本の外脚８が設けられている。そして旋回バー１１に固定したレバー２７と、脚支持軸２５に固定したレバー２８と、レバー２７、２８の先端相互を枢支連結する連結棒２９とで、平行リンク機構２４が形成されている。
【００２６】
外脚８は、平行リンク機構２４の作用により、座板７の展開状態及び折畳み状態で、鉛直方向の姿勢を保持する。脚８、９の下端には、支持柱４５の軸心（旋回旋回中心軸）を中心とする円周方向に床面１上を転動する車輪２３が軸着されている。
【００２７】
図６〜８は、この発明の第３実施例を示した図で、図６は座板の展開状態を、図７は座板の折畳み状態を示している。この第３実施例の構造では、旋回中心軸ａとなる中心杆３３の上端に軸直角方向の直交ピン３１が植立され、座板７の後縁側を支持する旋回バー１１の基端が直交ピン３１に上方に９０度回動可能に枢支され、座板７が旋回バー１１回りに上方に９０度揺動可能に支持されている。
【００２８】
図の例では、トイレの壁面２に、旋回移動台の座板７の高さに略相当する高さ寸法の支持板４７が固定され、この支持板４７の入口開口４に隣接する縦辺に設けた鉛直方向の支持孔に、上端に旋回体３２を固定したに中心杆３３が回動自在に挿通され、前記旋回体３２に、水平方向の直交ピン３１が植立されている。
【００２９】
直交ピン３１には、旋回バー１１の基端が、回動角を９０度に規制して、上方に９０度回動可能に支持されている。旋回バー１１には、回動角を９０度に規制して、座板支持枠６の後縁（壁に近い側の縁）が上方に９０度回動可能に支持されている。座板支持枠６の前縁側には、中心ピン４３が設けられ、円形の座板７の裏面に設けた中心孔（図示されていない）がこの中心ピン４３に挿通されて、座板７が中心ピン４３回りに回転自在に支持されている。
【００３０】
旋回バー１１は、座板支持枠６の後縁を回動自在に貫通しており、その先端に後脚９の基端が、直交ピン３１と平行なピン３６回りに揺動可能に懸垂されている。そして、旋回体３２に固定したレバー３７の先端と後脚９に固定したレバー３８の先端とが、連結棒３９で枢支連結されて、平行リンク機構３４を形成している。
【００３１】
一方、座板支持枠６の外端側（反後縁側）には、外脚８の基端が、旋回バー１１と平行なピン３５回りに揺動可能に懸垂されている。そして、旋回バー１１に固定したレバー２７の先端と外脚８に固定したレバー２８の先端とが連結棒２９で枢支連結されて、平行リンク機構２４を形成している。後脚９及び外脚８の下端には、床面１上を中心杆３３を中心とする円周方向に転動する車輪２３が軸支されている。
【００３２】
座板７を旋回バー１１回りに水平位置に展開し、旋回バー１１を入口開口４側に旋回することにより、座板７が入口開口４の外に進出した状態となる。車椅子使用者は、この状態で車椅子から旋回移動台１０に移乗し、座板７を室内側へと中心杆３３回りに旋回して、便座２０側に移動し、便座へと移乗する。旋回移動台１０を設置した壁面２が入口開口４と直交する壁面であるときは、座板７の旋回中心軸ａ回りの旋回角は０〜９０度であり、旋回移動台１０を設置した壁面２が入口開口４の延長上の壁面であるときは、座板７の旋回中心軸ａ回りの旋回角は９０〜１８０度である。便座２０が入口開口４に近いときは、旋回角が小さく、遠いときは旋回角が大きくなる。
【００３３】
ドア３は、座板７が入口開口４の内側に移動した後で手で閉鎖するが、ドアが内開きのときや座板７の旋回角が小さいときは、座板７から便座２０に移乗して座板７を立てた後でなければドア３を閉鎖することができないかもしれない。その場合は、便座２０とドア３とが近い位置にあるから、便座２０に移乗してからドア３を閉鎖すればよい。
【００３４】
座板７は、旋回バー１１が入口開口４側にその面と平行に伸びている状態で座板支持枠６を上方に９０度回動し、更に直交ピン３１回りに上方に９０度回動することにより、座面を室内側にして壁面２に添設された状態で折畳まれる。このとき、平行リンク機構２４の作用により、外脚８は座板支持枠６の裏面に添設され、更に直交ピン３１回りの回動により横倒し状態で壁面２と座板支持枠６との間に納められる。また、平行リンク機構３４の作用により、後脚９は鉛直姿勢となった旋回バー１１に沿った位置に折畳まれる。
【００３５】
この第３実施例のものは、旋回バー１１を壁面２に添設する位置に回動し、座板７を旋回バー１１回りに上方に揺動することにより、座板７の裏面を室内側に向けて、壁面２に添設した状態で折畳むこともできる。すなわち、座板７が入口開口４の外に進出した進出位置と座板７が入口開口４の内側に退避した退避位置とで座板７を折畳むことができる。入口開口４の外で車椅子に乗っているときに進出位置で折畳まれた座板７を展開し、便座２０に移動した状態では退避位置で折畳み及び展開し、旋回移動台１０から車椅子に移乗した後に進出位置で折畳むという操作により、座板７の折畳み展開操作が容易になる。
【００３６】
上記の第３実施例は、直交ピン３１回りに上方に回動する旋回バー１１に座板７の後縁側の縁を揺動自在に連結した構造であるが、同様な構造の旋回バー１１に座板７の前縁（旋回方向進出側の縁）を上下揺動自在に連結した構造とすることもできる。この場合は、座板７を旋回バー１１回りに上方に９０度揺動し、旋回バー１１が入口開口４側に伸びている状態で、旋回バー１１を直交ピン３１回りに上方に９０度回動することにより、座板７が裏面を室内側にして折畳まれる。
【００３７】
この座板７の展開折畳み姿勢は、図９、１０に示すように、旋回中心軸ａ回りに旋回する旋回体３２に座板７ないし座板支持枠６を上方及び側方から見て４５度斜めになった傾斜ピン４２回りに揺動自在に枢支する構造で実現することができる。この構造において脚を設けるときは、脚の上端を傾斜ピン４２と平行な軸回りに揺動自在にに懸垂し、傾斜ピン４２との間に平行リンク機構を形成してやればよい。
【図面の簡単な説明】
【００３８】
【図１】第１実施例を座板の展開状態で示す斜視図
【図２】第１実施例を座板の折畳み状態で示す斜視図
【図３】旋回に伴う第１実施例の座板の移動を示す平面図
【図４】第２実施例を展開状態で示す斜視図
【図５】第２実施例を折畳み状態で示す斜視図
【図６】第３実施例を展開状態で示す斜視図
【図７】第３実施例を折畳み状態で示す斜視図
【図８】第３実施例の座板の移動を示す平面図
【図９】第４実施例の要部を示す平面図
【図１０】第４実施例の要部を示す側面図
【符号の説明】
【００３９】
２  壁面
３  ドア
４  入口開口
５  ステイ
６  座板支持枠
７  座板
８  外脚
９  後脚
１０  旋回移動台
２０  便座
１１  旋回バー
１２  旋回枠
１３  中心柱
１６  昇降体
２４  平行リンク機構
２５  脚支持軸
３１  直交ピン
３２  旋回体
３３  中心杆
３４  平行リンク機構
４５  支持柱
４７  支持板
ａ   旋回中心軸
【図１】
2010088622.tif 000003
【図２】
2010088622.tif 000004
【図３】
2010088622.tif 000005
【図４】
2010088622.tif 000006
【図５】
2010088622.tif 000007
【図６】
2010088622.tif 000008
【図７】
2010088622.tif 000009
【図８】
2010088622.tif 000010
【図９】
2010088622.tif 000011
【図１０】
2010088622.tif 000012